(57)【要約】    【課題】      サイト選択式ダイバーシチの適用を制御する制御局の配下に属する基地局群においてソフトハンドオーバを行う場合に、制御局が移動局毎にサイト選択式ダイバーシチに対応しているか否かを管理しないで済むようにすること。    【解決手段】  サイト選択式ダイバーシチの適用を制御する制御局は、サイト選択式ダイバーシチを適用する場合は（ＳＴ１０１：ＹＥＳ）、配下に属する全基地局に対して共通のＩＤ及びそれに対する共通の識別コードを割り当て（ＳＴ１０２）、またソフトハンドオーバの対象となる複数の基地局に対して基地局毎に異なるＩＤ及びそれに対する特定の識別コードとを割り当てる（ＳＴ１０３）。その結果、基地局は、制御局の制御では無く上りリンクから受信した識別コードに基づきサイト選択式ダイバーシチを適用したソフトハンドオーバとそれを適用しないソフトハンドオーバとを切り替えることができる。  【選択図】      図１
2006140804.tif 000002
【特許請求の範囲】
【請求項１】
ソフトハンドオーバにサイト選択式ダイバーシチを選択的に適用する移動通信システムにおいて、基地局は、上りリンクから受信した識別コードに基づき、サイト選択式ダイバーシチを適用したソフトハンドオーバとそれを適用しないソフトハンドオーバとを切り替える工程、を具備することを特徴とするソフトハンドオーバ制御方法。
【請求項２】
前記基地局を配下に持つ制御局は、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当てる工程を具備し、前記制御局の配下に属する各基地局は、上りリンクから受信した識別コードが、前記共通の識別コードであるときは無条件に自基地局が個別チャネル送信基地局であるとして認識し、前記特定の識別コードであるときはそれに合致する識別コードを持つ場合に自基地局が個別チャネル送信基地局であるとして認識する、ことを特徴とする請求項１記載のソフトハンドオーバ制御方法。
【請求項３】
下りリンクの受信品質を測定してソフトハンドオーバの対象となる複数の基地局の中から個別チャネル送信基地局を選択するため基地局の識別コードを送信する移動局は、ソフトハンドオーバの対象となる全基地局について受信品質が閾値を満たさないときは前記共通の識別コードを送信し、受信品質が閾値を満たす基地局が存在するときはその基地局が持つ前記特定の識別コードを送信する、ことを特徴とする請求項２記載のソフトハンドオーバ制御方法。
【請求項４】
ソフトハンドオーバ時にサイト選択式ダイバーシチの適用を制御する制御局と、前記制御局の制御下にソフトハンドオーバを実施し、上りリンクから受信した識別コードに基づき、サイト選択式ダイバーシチを適用したソフトハンドオーバとそれを適用しないソフトハンドオーバとを切り替える基地局と、下りリンクの受信品質を測定してソフトハンドオーバの対象となる複数の基地局の中から個別チャネル送信基地局を選択するため基地局の識別コードを送信する移動局と、を具備することを特徴とする移動通信システム。
【請求項５】
前記制御局は、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当て、前記制御局の配下に属する各基地局は、上りリンクから受信した識別コードが、前記共通の識別コードであるときは無条件に個別チャネル送信基地局として動作し、前記特定の識別コードであるときはそれに合致する識別コードを持つ場合に個別チャネル送信基地局として動作する、ことを特徴とする請求項４記載の移動通信システム。
【請求項６】
ソフトハンドオーバの対象となる全基地局について受信品質が閾値を満たすか否かを判断する手段と、全基地局の受信品質が閾値を満たさないときは前記共通の識別コードを送信する手段と、受信品質が閾値を満たす基地局が存在する場合はその基地局が持つ前記特定の識別コードを送信する手段と、を具備することを特徴とする移動局。
【請求項７】
請求項６記載の移動局から受信した識別コードが、前記共通の識別コードであるときは無条件に個別チャネル送信基地局として動作し、前記特定の識別コードであるときはそれに合致する識別コードを持つ場合に個別チャネル送信基地局として動作することを特徴とする基地局。
【請求項８】
請求項７記載の基地局に対してソフトハンドオーバ時にサイト選択式ダイバーシチの適用を制御する制御局であって、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当ることを特徴とする制御局。
【発明の詳細な説明】
【技術分野】
【０００１】
本発明は、ソフトハンドオーバ制御方法及び移動通信システムに関する。
【背景技術】
【０００２】
非特許文献１、２では、ＣＤＭＡ（Code Division Multiple Access：符号分割多元接続）通信システムにおける無線接続規格として、ソフトハンドオーバ時に選択的に用いるサイト選択式ダイバーシチ（Site Selection Diversity Transmit：ＳＳＤＴ）が規定されている。また、特許文献１、２では、サイト選択式ダイバーシチに関する技術が紹介されている。
【０００３】
このサイト選択式ダイバーシチは、下りリンクの個別チャネルのデータ送信区間における基地局間の干渉量を減らし、システム容量の改善を図ることを目的とした送信ダイバーシチ方式の一つであり、ソフトハンドオーバを行う移動局と、ソフトハンドオーバの対象となる基地局群と、ソフトハンドオーバ時に基地局並びに移動局の動作を制御する制御局との連携によって実施される。
【０００４】
サイト選択式ダイバーシチにおいて用いられる制御情報には、サイト選択式ダイバーシチの適用有無を示す有効情報と、各基地局で異なるＩＤと、前記ＩＤに対応する識別コードの割り当て状態を示す情報とが含まれている。ソフトハンドオーバを行う移動局と各基地局とは、同一の制御情報を有している。なお、各基地局のＩＤは、基地局と移動局でサイト選択式ダイバーシチ動作を開始する前に制御チャネル等を介して移動局に伝送される。
【０００５】
以下、図５〜図７を参照して、ＣＤＭＡ移動通信システムにおいて実施されている従来のサイト選択式ダイバーシチを用いたソフトハンドオーバ制御方法について説明する。なお、図５は、従来の制御局においてサイト選択式ダイバーシチを適用する場合の制御情報生成過程を説明するフローチャートである。図６は、従来の基地局において個別チャネルを送信する過程を説明するフローチャートである。図７は、サイト選択式ダイバーシチに対応する従来の移動局の構成例を示すブロック図である。
【０００６】
まず、制御局の動作について説明する。図５において、制御局では、サイト選択式ダイバーシチ（ＳＳＤＴ）が有効であるか否か、つまりソフトハンドオーバにサイト選択式ダイバーシチを適用するか否かを判定し（ステップＳＴ５０１）、適用する場合は（ステップＳＴ５０１：ＹＥＳ）、移動局から取得した「サイト選択式ダイバーシチの適用有無を示す有効情報」に依ってソフトハンドオーバを要求した全移動局を、サイト選択式ダイバーシチ（ＳＳＤＴ）に対応している移動局と対応していない移動局とに選別する（ステップＳＴ５０２→ＳＴ５０３→ＳＴ５０２）。
【０００７】
そして、制御局では、サイト選択式ダイバーシチ（ＳＳＤＴ）に対応している移動局のソフトハンドオーバ対象となる各基地局に対して互いに異なるＩＤを発行し、またそのＩＤに対応する識別コードの割り当てを行う（ステップＳＴ５０４）。一方、制御局では、サイト選択式ダイバーシチ（ＳＳＤＴ）に対応していない移動局のソフトハンドオーバ対象となる各基地局に対しては通常のソフトハンドオーバを行う指示を発行する（ステップＳＴ５０５）。
【０００８】
次に、基地局の動作について説明する。図６において、基地局では、制御局から送られてきた制御情報に基づき、ソフトハンドオーバにサイト選択式ダイバーシチ（ＳＳＤＴ）を適用するか否かを判定する（ステップＳＴ６０１）。その結果、適用する場合は（ステップＳＴ６０１：ＹＥＳ）、移動局が送信する識別コードを受信し（ステップＳＴ６０２）、制御局から割り当てられた自基地局のＩＤに対応する識別コードとの一致不一致を調べる（ステップＳＴ６０３）。
【０００９】
ここで、ソフトハンドオーバにサイト選択式ダイバーシチ（ＳＳＤＴ）を適用する移動局では、後述（図７）するように、測定した基地局毎の受信信号電力が最も大きい基地局を個別チャネルのデータ情報を送信するプライマリ（Primary）基地局として選択し、そのプライマリ基地局のＩＤに割り当てられた識別コードを送信している。
【００１０】
そこで、基地局では、ステップＳＴ６０３において識別コードの一致が確認できると（ステップＳＴ６０３：ＹＥＳ）、自基地局がプライマリに分類されたと認識して個別チャネルのデータ情報を送信する（ステップＳＴ６０４）。逆に、基地局では、ステップＳＴ６０３において識別コードの一致が確認できない場合は（ステップＳＴ６０３：ＮＯ）、自基地局がノンプライマリ（Non Primary）に分類されたと認識して個別チャネルのデータ情報は送信しない（ステップＳＴ６０５）。
【００１１】
一方、基地局では、（ステップＳＴ６０１）において、ソフトハンドオーバにサイト選択式ダイバーシチ（ＳＳＤＴ）を適用しないと判断した場合は（ステップＳＴ６０１：ＮＯ）、通常のソフトハンドオーバを行うべく個別チャネルのデータ情報を送信する（ステップＳＴ６０４）。
【００１２】
次に、サイト選択式ダイバーシチ（ＳＳＤＴ）に対応する移動局の動作について説明する。なお、図７では、移動局のソフトハンドオーバ対象が基地局Ａ、Ｂの２つであって、基地局Ａについて２本のパスがフィンガに割り当てられ、基地局Ｂについて１本のパスがフィンガに割り当てられている場合を想定している。
【００１３】
図７において、各基地局が送信する下りリンクの無線信号は、受信アンテナ及び無線制御部７０１から逆拡散部７０２〜逆拡散部７０４にそれぞれ入力する。逆拡散部７０２、７０３では、基地局Ａのパスについて逆拡散が行われ、逆拡散部７０４では、基地局Ｂのパスについて逆拡散が行われる。受信電力測定部７０５、７０６では、逆拡散部７０２、７０３での逆拡散後の信号の電力値を測定する。また、受信電力測定部７０７では、逆拡散部７０４での逆拡散後の信号の電力値を測定する。
【００１４】
次に、電力合成部７０８では、同一基地局の信号電力を合成する。ここでは、基地局Ａの信号電力を計測する受信電力測定部７０５、７０６の出力を合成し、基地局Ａについての信号電力を得る。
【００１５】
最大値検索部７０９では、電力合成部７０８の出力値（基地局Ａの受信信号電力）と受信電力測定部７０７の出力値（基地局Ｂの受信信号電力）との中から最大値を検索し、個別データチャネルを送信するプライマリとなるべき基地局を選出する。
【００１６】
制御部７１０では、最大値検索部７０９における最大信号電力を示す基地局をプライマリに選び、その基地局のＩＤに対応する識別コードを生成する。制御部７１０において生成された識別コードは、無線制御部及び送信アンテナ部７１１から上りリンクに送信される。
【００１７】
このようにサイト選択式ダイバーシチでは、移動局側においてソフトハンドオーバの対象として選択した基地局群のうちの最も受信電力の高い基地局をプライマリ基地局として選出し、そのプライマリに分類される基地局からのみ個別チャネルのデータ情報を送信し、残りのノンプライマリとして分類される基地局からは前記データ情報を送信しない。これによって、下りリンクの個別チャネルのデータ送信区間における基地局間の干渉量を減らし、システム容量の改善を図ることができる。
【特許文献１】特開２００１−２１８２５４号公報
【特許文献２】特表２００３−５１６０２５号公報
【非特許文献１】３ＧＰＰ  ＴＳ  ２５．２１１
【非特許文献２】３ＧＰＰ  ＴＳ  ２５．２１４
【発明の開示】
【発明が解決しようとする課題】
【００１８】
しかしながら、従来のサイト選択式ダイバーシチを用いたソフトハンドオーバ制御方法では、もし、サイト選択式ダイバーシチに対応不可の移動局に対してサイト選択式ダイバーシチを適用してソフトハンドオーバを行うと、前記移動局からの識別コードが各基地局に割り当てられた識別コードと一致せず、正常にソフトハンドオーバを行えないことが起こる。したがって、サイト選択式ダイバーシチを適用した基地局群でソフトハンドオーバを行う場合には、制御局において移動局毎にサイト選択式ダイバーシチに対応しているか否かを管理し、対応不可の移動局についてはサイト選択式ダイバーシチを適用せずに通常のソフトハンドオーバを基地局に行わせるための制御が必要になるので、制御局の処理負荷が大きくなるという問題があった。
【００１９】
また、サイト選択式ダイバーシチを適用したソフトハンドオーバ中の移動局において、下りチャネルに発生する周波数選択性フェージングやシャドウイングなどの影響により、個別チャネル送信基地局を選択する場合の各基地局についての受信品質が劣化し、適した個別チャネル送信基地局を選択できず、個別チャネル送信基地局として適さない基地局を選択してしまうことが起こるので、受信性能の劣化を招くという問題があった。
【００２０】
本発明は、かかる点に鑑みてなされたものであり、サイト選択式ダイバーシチの適用を制御する制御局の配下に属する基地局群においてソフトハンドオーバを行う場合に、制御局が移動局毎にサイト選択式ダイバーシチに対応しているか否かを管理しないで済むソフトハンドオーバ制御方法及び移動通信システムを提供することを目的とする。
【００２１】
また、本発明は、移動局において下りチャネルの受信品質劣化によって適した個別チャネル送信基地局を選択できない場合の受信性能を向上することのできるソフトハンドオーバ制御方法及び移動通信システムを提供することを目的とする。
【課題を解決するための手段】
【００２２】
かかる課題を解決するため、本発明に係るソフトハンドオーバ制御方法は、ソフトハンドオーバにサイト選択式ダイバーシチを選択的に適用する移動通信システムにおいて、基地局は、上りリンクから受信した識別コードに基づき、サイト選択式ダイバーシチを適用したソフトハンドオーバとそれを適用しないソフトハンドオーバとを切り替える工程を具備するようにした。
【００２３】
この方法によれば、ソフトハンドオーバにサイト選択式ダイバーシチを選択的に適用する移動通信システムにおいて、サイト選択式ダイバーシチの適用を制御する制御局に属する基地局群においてソフトハンドオーバを行う場合に、制御局が移動局毎にサイト選択式ダイバーシチに対応しているか否かを管理しないで済むので、制御局の処理負荷を軽減することができる。
【００２４】
本発明に係るソフトハンドオーバ制御方法は、上記の発明において、前記基地局を配下に持つ制御局は、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当てる工程を具備し、前記制御局の配下に属する各基地局は、上りリンクから受信した識別コードが、前記共通の識別コードであるときは無条件に自基地局が個別チャネル送信基地局であるとして認識し、前記特定の識別コードであるときはそれに合致する識別コードを持つ場合に自基地局が個別チャネル送信基地局であるとして認識するようにした。
【００２５】
この方法によれば、基地局は、制御局の制御を受けずに、上りリンクから受信した識別コードに基づき、サイト選択式ダイバーシチを適用したソフトハンドオーバとそれを適用しないソフトハンドオーバとを切り替えることができるので、サイト選択式ダイバーシチに対応しない移動局のハンドオーバも支障なく実施することができる。
【００２６】
本発明に係るソフトハンドオーバ制御方法は、上記の発明において、下りリンクの受信品質を測定してソフトハンドオーバの対象となる複数の基地局の中から個別チャネル送信基地局を選択するため基地局の識別コードを送信する移動局は、ソフトハンドオーバの対象となる全基地局について受信品質が閾値を満たさないときは前記共通の識別コードを送信し、受信品質が閾値を満たす基地局が存在するときはその基地局が持つ前記特定の識別コードを送信するようにした。
【００２７】
この方法によれば、移動局では、誤った基地局が個別チャネル送信基地局に選ばれる場合の受信性能の劣化を軽減することができる。
【００２８】
本発明に係る移動通信システムは、ソフトハンドオーバ時にサイト選択式ダイバーシチの適用を制御する制御局と、前記制御局の制御下にソフトハンドオーバを実施し、上りリンクから受信した識別コードに基づき、サイト選択式ダイバーシチを適用したソフトハンドオーバとそれを適用しないソフトハンドオーバとを切り替える基地局と、下りリンクの受信品質を測定してソフトハンドオーバの対象となる複数の基地局の中から個別チャネル送信基地局を選択するため基地局の識別コードを送信する移動局と、を具備する構成を採る。
【００２９】
この構成によれば、ソフトハンドオーバにサイト選択式ダイバーシチを選択的に適用する移動通信システムにおいて、サイト選択式ダイバーシチの適用を制御する制御局の配下に属する基地局群においてソフトハンドオーバを行う場合に、制御局が移動局毎にサイト選択式ダイバーシチに対応しているか否かを管理しないで済むので、制御局の処理負荷を軽減することができる。
【００３０】
本発明に係る移動通信システムは、上記の発明において、前記制御局は、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当て、前記制御局の配下に属する各基地局は、上りリンクから受信した識別コードが、前記共通の識別コードであるときは無条件に個別チャネル送信基地局として動作し、前記特定の識別コードであるときはそれに合致する識別コードを持つ場合に個別チャネル送信基地局として動作するという構成を採る。
【００３１】
この構成によれば、基地局は、制御局の制御を受けずに、上りリンクから受信した識別コードに基づき、サイト選択式ダイバーシチを適用したソフトハンドオーバとそれを適用しないソフトハンドオーバとを切り替えることができるので、サイト選択式ダイバーシチに対応しない移動局のハンドオーバも支障なく実施することができる。
【００３２】
本発明に係る移動局は、ソフトハンドオーバの対象となる全基地局について受信品質が閾値を満たすか否かを判断する手段と、全基地局の受信品質が閾値を満たさないときは前記共通の識別コードを送信する手段と、受信品質が閾値を満たす基地局が存在する場合はその基地局が持つ前記特定の識別コードを送信する手段と、を具備する構成を採る。
【００３３】
本発明に係る基地局は、上記移動局から受信した識別コードが、前記共通の識別コードであるときは無条件に個別チャネル送信基地局として動作し、前記特定の識別コードであるときはそれに合致する識別コードを持つ場合に個別チャネル送信基地局として動作する構成を採る。
【００３４】
本発明に係る制御局は、上記基地局に対してソフトハンドオーバ時にサイト選択式ダイバーシチの適用を制御する制御局であって、配下に属する全基地局に対して共通のＩＤ及びそれに対する共通の識別コードと、ソフトハンドオーバの対象となる複数の基地局に対して基地局毎に異なるＩＤ及びそれに対する特定の識別コードとを割り当る構成を採る。
【００３５】
これらの構成によれば、移動局では、誤った基地局が個別チャネル送信基地局に選ばれる場合の受信性能の劣化を軽減することができる。
【発明の効果】
【００３６】
本発明によれば、ソフトハンドオーバにサイト選択式ダイバーシチを選択的に適用する移動通信システムにおいて、サイト選択式ダイバーシチの適用を制御する制御局の処理負荷を軽減することができる。
【００３７】
また、本発明によれば、移動局において下りチャネルの受信品質劣化によって適した個別チャネル送信基地局を選択できない場合の受信性能を向上することができる。
【発明を実施するための最良の形態】
【００３８】
本発明の骨子は、ソフトハンドオーバにサイト選択式ダイバーシチを選択的に適用するＣＤＭＡ移動通信システムにおいて、サイト選択式ダイバーシチの適用を制御する制御局の配下に属する基地局群は、共通の識別コードを受信した時は全基地局がプライマリ基地局となり、共通の識別コードを受信せず特定の識別コードを受信した時はその特定の識別コードに合致する特定の基地局がプライマリ基地局となるようにする。つまり、基地局は、サイト選択式ダイバーシチの適用を制御する制御局の制御なしに、サイト選択式ダイバーシチを適用したソフトハンドオーバとそれを適用しないソフトハンドオーバとを切り替え得るようにし、制御局の処理負荷を軽減することである。
【００３９】
また、本発明の骨子は、移動局において下りチャネルの受信品質劣化によって適した個別チャネル送信基地局を選択できない場合に、全基地局に共通の識別コードを送信して上りリンクの受信品質が良好な基地局の全てをプライマリ基地局とし、誤った基地局が個部チャネル送信基地局に選ばれる場合の受信性能の劣化を軽減することである。
【００４０】
以下、本発明の実施の形態について図面を参照して詳細に説明する。
【００４１】
（実施の形態１）
図１から図３は、本発明の実施の形態１に係るソフトハンドオーバ制御方法を実施する制御局及び基地局の動作を説明する図である。なお、図１は、制御局の動作を説明するフローチャートである。図２は、制御局が備える識別コード対応テーブルにおいて共通ＩＤ及び基地局毎のＩＤを割り付ける例を説明する図である。図３は、基地局の動作を説明するフローチャートである。
【００４２】
図１において、制御局では、制御局が管理する基地局群内において移動局のソフトハンドオーバ要求を検知し、移動局がソフトハンドオーバを完了するための制御を各基地局に対して行う。まず、上り又は下りの通信状態や基地局群内の移動局数等を考慮し、ソフトハンドオーバにサイト選択式ダイバーシチ（ＳＳＤＴ）を適用するか否かを判断する（ステップＳＴ１０１）。
【００４３】
ここで、本実施の形態１では、制御局は、ソフトハンドオーバにサイト選択式ダイバーシチ（ＳＳＤＴ）を適用しないと判断した場合は（ステップＳＴ１０１：ＮＯ）、従来とは異なり、基地局に通常のソフトハンドオーバを行わせる指示は発行しないで、そのまま判断処理を終了する。
【００４４】
そして、本実施の形態１では、制御局は、ソフトハンドオーバにサイト選択式ダイバーシチ（ＳＳＤＴ）を適用すると判断した場合も（ステップＳＴ１０１：ＹＥＳ）、従来とは異なり、移動局がソフトハンドオーバにサイト選択式ダイバーシチ（ＳＳＤＴ）に対応しているか否かを判断せずに、全基地局で共通のＩＤを設定し、サイト選択式ダイバーシチ用として用意している識別コードのうちの一つをその共通のＩＤに対応する共通の識別コードに割り当てる（ステップＳＴ１０２）。
【００４５】
また、制御局は、ソフトハンドオーバ対象の各基地局の互いに異なるＩＤを生成し、その基地局ＩＤにステップＳＴ１０２にて割り当てた識別コード以外の識別コードを割り当てる（ステップＳＴ１０３）。制御局は、各基地局に対し、ＩＤと識別コードの対応情報を伝達し、サイト選択式ダイバーシチの適用制御を終了する。
【００４６】
ここで、ステップＳＴ１０２、ＳＴ１０３の処理は、具体的には、例えば図２に示すようにして行われる。図２に示すように、制御局が備える識別コード対応テーブルには、識別コードＡ〜Ｈが用意されているとする。また、制御局がサイト選択式ダイバーシチを適用する管理基地局が３つであるとする。この場合、この３つの管理基地局に対して共通ＩＤを割り付け、それに対して共通に識別コードＡを対応付ける。また、３つの管理基地局に対して割り付けるＩＤ＃１、ＩＤ＃２、ＩＤ＃３は、互いに異なるＩＤであるが、ＩＤ＃１には識別コードＣを対応付け、ＩＤ＃２には識別コードＥを対応付け、ＩＤ＃３には識別コードＧを対応付ける。
【００４７】
なお、制御局が共通ＩＤに対応づける識別コードとして、移動局がサイト選択式ダイバーシチを適用しない場合に送信する特定のビットパターンと等しいものを選んでもよい。
【００４８】
次に、図３において、基地局では、制御局から伝達される識別コードとＩＤの対応情報から、共通ＩＤとそれに対応する共通識別コードと、自基地局のＩＤとそれに対応する特定識別コードとをそれぞれ取り出して保持する。そして、制御局から送られてきた制御情報に基づき、ソフトハンドオーバにサイト選択式ダイバーシチ（ＳＳＤＴ）を適用するか否かを判定する（ステップＳＴ３０１）。
【００４９】
その結果、適用しない場合は（ステップＳＴ３０１：ＮＯ）、従来とは異なり、何もせずソフトハンドオーバ制御には関与しない。適用する場合は（ステップＳＴ３０１：ＹＥＳ）、移動局が送信する識別コードを受信し（ステップＳＴ３０２）、制御局から割り当てられた共通ＩＤに対応する共通識別コードとの一致不一致を調べる（ステップＳＴ３０３）。
【００５０】
比較の結果、識別コードの一致が確認できると（ステップＳＴ３０３：ＹＥＳ）、自基地局がプライマリに分類されたと認識して個別チャネルのデータ情報を送信する（ステップＳＴ３０５）。逆に、基地局では、ステップＳＴ３０３において識別コードの一致が確認できない場合は（ステップＳＴ３０３：ＮＯ）、今度は、移動局から受信した識別コードと自基地局のＩＤに対応する特定識別コードとの一致不一致を調べる（ステップＳＴ３０４）。
【００５１】
基地局は、識別コードの一致が確認できると（ステップＳＴ３０４：ＹＥＳ）、自基地局がプライマリに分類されたと認識して個別チャネルのデータ情報を送信する（ステップＳＴ３０５）。逆に、基地局は、特定の識別コードの一致が確認できない場合は（ステップＳＴ３０４：ＮＯ）、自基地局がノンプライマリ（Non Primary）に分類されたと認識して個別チャネルのデータ情報は送信しない（ステップＳＴ３０６）。
【００５２】
このように、実施の形態１に係るソフトハンドオーバ制御方法によれば、サイト選択式ダイバーシチの適用を制御する制御局の配下に属する基地局群では、共通の識別コードを受信した時は全基地局がプライマリ基地局となり、共通の識別コードを受信せず特定の識別コードを受信した時はその特定の識別コードに合致する特定の基地局がプライマリ基地局となるので、制御局の制御なしに、サイト選択式ダイバーシチを適用したソフトハンドオーバとそれを適用しないソフトハンドオーバとを切り替えることができる。
【００５３】
つまり、移動局は、サイト選択式ダイバーシチの適用を制御する制御局の配下に属する基地局群においてソフトハンドオーバを行う場合に、サイト選択式ダイバーシチに対応していなくとも、共通の識別コードを送信することで、サイト選択式ダイバーシチを適用したソフトハンドオーバ動作を行うことができる。
【００５４】
したがって、制御局では、移動局がサイト選択式ダイバーシチに対応しているか否かを管理する必要がないので、処理負荷の軽減が図れるようになる。
【００５５】
（実施の形態２）
図４は、本発明の実施の形態２に係るソフトハンドオーバ制御方法を実施する移動局の構成を示すブロック図である。なお、図４では、移動局のソフトハンドオーバ対象が基地局Ａ、Ｂの２つであって、基地局Ａについて２本のパスがフィンガに割り当てられ、基地局Ｂについて１本のパスがフィンガに割り当てられている場合を想定している。
【００５６】
図４において、各基地局が送信する下りリンクの無線信号は、受信アンテナ及び無線制御部４０１から逆拡散部４０２〜逆拡散部４０４にそれぞれ入力する。逆拡散部４０２、４０３では、基地局Ａのパスについて逆拡散が行われ、逆拡散部４０４では、基地局Ｂのパスについて逆拡散が行われる。受信電力測定部４０５、４０６では、逆拡散部４０２、４０３での逆拡散後の信号の電力値を測定する。また、受信電力測定部４０７では、逆拡散部４０４での逆拡散後の信号の電力値を測定する。
【００５７】
次に、電力合成部４０８では、同一基地局の信号電力を合成する。ここでは、基地局Ａの信号電力を計測する受信電力測定部４０５、４０６の出力を合成し、基地局Ａについての信号電力を得る。
【００５８】
最大値検索部４０９では、電力合成部４０８の出力値（基地局Ａの受信信号電力）と受信電力測定部４０７の出力値（基地局Ｂの受信信号電力）との中から最大値を検索し、個別データチャネルを送信するプライマリとなるべき基地局を選出し、制御部４１０に与える。
【００５９】
一方、比較部４１１では、電力合成部４０８の出力値（基地局Ａの受信信号電力）と閾値との大小関係を比較し、その比較結果を判定部４１３に与える。また、比較部４１２では、受信電力測定部４０７の出力値（基地局Ｂの受信信号電力）と閾値との大小関係を比較し、その比較結果を判定部４１３に与える。
【００６０】
判定部４１３では、比較部４１１、４１２の各比較結果に基づき、例えば、全ての基地局についての信号電力が閾値に満たない場合に真と判定し、それ以外は偽と判定する。判定結果は制御部４１０に与えられる。
【００６１】
制御部４１０では、判定部４１３の判定結果が偽であるとき、最大値検索部４０９における最大信号電力を示す基地局をプライマリに選び、そのプライマリ基地局のＩＤに対応する識別コードを生成する。
【００６２】
一方、制御部４１０では、判定部４１３の判定結果が真であるときは、最大値検索部４０９の検索結果を無視し、前記した共通の識別コードを生成する。このように制御部４１０において生成された識別コードは、送信アンテナ部４１４によって上りリンクに送信される。
【００６３】
なお、制御部４１０において生成する共通の識別コードには、移動局がサイト選択式ダイバーシチを適用しない場合に送信する特定のビットパターンと等しいものを選んでもよい。
【００６４】
また、制御部４１０において共通の識別コードを生成するとき、移動局におけるレイク合成対象をプライマリに依らず、全基地局を対象とするモードに移行してもよい。
【００６５】
このように、本実施の形態２に係るソフトハンドオーバ制御方法によれば、移動局において個別チャネル送信基地局を選択する際に全ての基地局についての受信品質が劣化し、適した個別チャネル送信基地局を選択することが出来ない場合に、共通の識別コードを送信し、上りリンクの受信品質が良好な基地局全てがプライマリとなってソフトハンドオーバ動作を行うようにしたので、誤った基地局が個別チャネル送信基地局に選ばれる場合の受信性能の劣化を軽減することができる。
【産業上の利用可能性】
【００６６】
本発明は、ソフトハンドオーバにサイト選択式ダイバーシチを選択的に適用する移動通信システムにおいて、サイト選択式ダイバーシチの適用を制御する制御局の処理負荷を軽減するのに好適である。
【００６７】
本発明は、ソフトハンドオーバにサイト選択式ダイバーシチを選択的に適用する移動通信システムにおいて、移動局において下りチャネルの受信品質劣化によって適した個別チャネル送信基地局を選択できない場合の受信性能を向上するのに好適である。
【図面の簡単な説明】
【００６８】
【図１】本発明の実施の形態１に係るソフトハンドオーバ制御方法を実施する制御局の動作を説明するフローチャート
【図２】制御局が備える識別コード対応テーブルにおいて共通ＩＤ及び基地局毎のＩＤを割り付ける例を説明する図
【図３】本発明の実施の形態１に係るソフトハンドオーバ制御方法を実施する基地局の動作を説明するフローチャート
【図４】本発明の実施の形態２に係るソフトハンドオーバ制御方法を実施する移動局の構成を示すブロック図
【図５】従来の制御局においてサイト選択式ダイバーシチを適用する場合の制御情報生成過程を説明するフローチャート
【図６】従来の基地局において個別チャネルを送信する過程を説明するフローチャート
【図７】サイト選択式ダイバーシチに対応する従来の移動局の構成例を示すブロック図
【符号の説明】
【００６９】
４０１  受信アンテナ及び無線制御部
４０２〜４０４  逆拡散部
４０５〜４０７  受信電力測定部
４０８  電力合成部
４０９  最大値検索部
４１０  制御部
４１１、４１２  比較部
４１３  判定部
４１４  送信アンテナ部
【図１】
2006140804.tif 000003
【図２】
2006140804.tif 000004
【図３】
2006140804.tif 000005
【図４】
2006140804.tif 000006
【図５】
2006140804.tif 000007
【図６】
2006140804.tif 000008
【図７】
2006140804.tif 000009